(57)【要約】【課題】気泡管の本体となる円筒状管体の口径部が比較的大きいものであっても、底部の表面積を増大することにより、気泡が発生するまでの時間を短縮すると共に、発生した均一な大きさの気泡がゆっくり上昇移動するような気泡管の製造方法と、製造された気泡管を灯明具として使用した葬祭用装飾灯篭を提供する。【解決手段】円筒状管体２の底部を球面状底部２ａに形成し、その裾野部外周と円筒状管体２の内周壁との谷部２ａ´にリング状の発泡体３を付着し、円筒状管体２内に塩素系有機溶剤からなる低沸点液体４と該液体４に溶解されるプラスティックのペレットを充填した後、口径開口部を密封して構成した。【選択図】　　図１
2004033411.tif 000002
【特許請求の範囲】
【請求項１】
比較的口径の大きい気泡管を製造するにあたり、先ず当該気泡管の本体となる円筒状管体の底部を中空方向へ膨出させて球面状の底部を形成し、次いで上記底部の裾野部外周と円筒状管体の内周壁との間に形成された谷部に、リング状に成形した発泡体を付着するか、または発泡体の粉末をリング状に付着し、更に円筒状管体内に塩素系有機溶剤からなる低沸点液体を充填し、かつ該低沸点液体に溶解されるプラスティックのペレットを所要量投入した後、円筒状管体の口径開口部を密封してなることを特徴とする気泡管の製造方法。
【請求項２】
笠部と透明または半透明の筒部および光源としての電球を内装した基台とからなる葬祭用装飾灯篭において、上記筒部に比較的口径の大きい単一の気泡管を立設固定すると共に、該気泡管の直下方に基台に内装した電球を臨ませて構成したことを特徴とする葬祭用装飾灯篭。
【発明の詳細な説明】
【０００１】
【発明の属する技術分野】
本発明は気泡管の製造方法および製造された気泡管を使用した葬祭用装飾灯篭に係り、詳しくは、比較的口径の大きい円筒状管体の底部表面積を増大して光源からの熱の吸収を高め、気泡が発泡するまでの時間を短縮し、かつ管底部の全周囲から均一に気泡を発生させるようにすると共に、発生した気泡の上昇速度がゆっくりとなるような気泡管の製造方法および製造された気泡管を使用した葬祭用装飾灯篭に関するものである。
【０００２】
【従来の技術】
従来、葬祭用装飾灯篭に組み込まれている気泡管は、口径が６〜８ｍｍ程度のガラス製円筒状細管が複数本使用され、かつ各細管の底部に気泡の核となる発泡体を付着すると共に、低沸点液体を封入し、基台に内装した光源としての電球の熱を利用して気泡を発生させるようにしていた。
【０００３】
ところが、近時、仏具業界では、上記のような細管からなる気泡管に代えて、比較的口径の大きい気泡管（口径２０〜３０ｍｍ）を葬祭用装飾灯篭に使用したい、という新規開発の願望があり、この場合に、従来のような細管からなる気泡管の製造方法をそのまま使用すると、次のような不具合が発生し、葬祭用装飾灯篭には適さないことが確認された。
【０００４】
▲１▼管内の低沸点液体が増えるため、電源を入れてから沸点に達するまでの時間がかかり過ぎ、死者の霊に供える灯明具に適さない。
▲２▼大きな気泡や小さい気泡など、発生する気泡にバラツキがあって、均一な大きさの気泡を管底部の全周囲から均一に発生させることができず、故人の冥福と成仏を祈る心情を誘発させることができない。
▲３▼気泡の上昇速度が速すぎて、気泡の去来が人の世の儚さを誘うような幻想的な雰囲気を醸し出すことができず、人生終焉の厳かなセレモニーを演出することができない。
【０００５】
【発明が解決しようとする課題】
本発明は、上記のような不具合を解消すべく創案されたものであって、その意図するところは、気泡管の本体となる円筒状管体の口径部が比較的大きいものであっても、底部の表面積を増大することにより、気泡が発生するまでの時間を短縮すると共に、発生した均一な大きさの気泡がゆっくり上昇移動するような気泡管の製造方法と、製造された気泡管を灯明具として使用した葬祭用装飾灯篭を提供することを課題とするものである。
【０００６】
【課題を解決するための手段】
上記課題を解決するため、本発明が採用した第１の技術手段は、比較的口径の大きい気泡管を製造するにあたり、先ず当該気泡管の本体となる円筒状管体の底部を中空方向へ膨出させて球面状の底部を形成し、次いで上記底部の裾野部外周と円筒状管体の内周壁との間に形成された谷部に、リング状に成形した発泡体を付着するか、または発泡体の粉末をリング状に付着し、更に円筒状管体内に塩素系有機溶剤からなる低沸点液体を充填し、かつ該低沸点液体に溶解されるプラスティックのペレットを所要量投入した後、円筒状管体の口径開口部を密封してなることを特徴とするものである。
【０００７】
本発明が採用した第２の技術手段は、笠部と透明または半透明の筒部および光源としての電球を内装した基台とからなる葬祭用装飾灯篭において、上記筒部に比較的口径の大きい単一の気泡管を立設固定すると共に、該気泡管の直下方に基台に内装した電球を臨ませて構成したことを特徴とするものである。
【０００８】
【発明の実施の形態】
本発明の実施の形態を添付図面に基いて詳細に説明する。図１は本発明に係る気泡管の製造方法の説明図であって、（Ａ）は気泡管および光源としての電球の配置状態を示す正面図、（Ｂ）は気泡管の本体となる円筒状管体の底面を示す平面図、図２は製造された気泡管を灯明具として使用した葬祭用装飾灯篭の筒部を断面にして示す全体正面図である。
【０００９】
上記図１において、比較的口径の大きい気泡管１（口径２０〜３０ｍｍ）を製造するには、先ず本体となる円筒状管体２の底部を中空方向へ膨出させて、球面状底部２ａを形成する（第１工程）。
【００１０】
次に球面状底部２ａの裾野部外周と円筒状管体２の内周壁との間に形成された谷部２ａ´にリング状に成形した発泡体３を付着する。この場合、発泡体３の粉末をリング状に付着してもよい（第２工程）。この発泡体３は気泡の核となるものであって、本実施例ではポリカーボネート樹脂の成形品または粉末を使用したが、発泡を発生し易くするものであれば、これに限定されるものではない。
【００１１】
更に円筒状管体２内に塩素系有機溶剤からなる低沸点液体４を充填し、かつ該液体４に溶解されるプラスティックのペレットを所要量投入した後、円筒状管体２の口径開口部を密封する（第３工程）。低沸点液体４としての塩素系有機溶剤には塩化メチレン、トリクロロエチレンなど種々のものがあるが、本実施例では塩化メチレンを使用した。
【００１２】
上記の工程で製造された気泡管１の球面状底部２ａに光源としての電球５を直下方に臨ませて発光させると、底部２ａは平面状底部に比して表面積が増大され、熱の吸収が早くなるので、発泡時間を短縮することができる。そのうえ、気泡ａの核となる発泡体３が谷部２ａ´の全周囲に均等に付着されているので、均一な気泡が全周囲から発生し、気泡ａの大きさにバラツキがなく、しかも球面状底部２ａの中央部から電球５の光が透過することによって、気泡のライトアップも可能となり、更に低沸点液体４に投入したプラスティックのペレットの溶解により、液体粘度が上昇されているので、球面状底部２ａで気泡の発生を早めることができるものでありながら、発生した気泡がゆっくりと上昇しながら去来するため、幻想的な雰囲気を醸し出して人生終焉の厳かなセレモニーを演出することができ、葬祭用装飾灯篭にふさわしい灯明具としての気泡管１を提供することができる。
【００１３】
図２は上記製造方法によって製造された気泡管１を組み込んだ葬祭用装飾灯篭６の一実施例を示すものであって、その要旨とするところは、笠部７と透明または半透明の筒部８および光源としての電球５を内装した基台９とからなる葬祭用装飾灯篭６において、上記筒部８に比較的口径の大きい単一の気泡管１を立設固定すると共に、該気泡管１の直下方に基台９に内装した電球５を臨ませて構成した点にあり、その余の構成については各別制限はない。図中１０は笠部７の外周縁所定位置に着脱自在に装着された鳳凰飾り体、１１は鳳凰飾り体１０に吊持された瑶珞垂飾り体、１２は笠部７の頂部に一体形成された火炎を模した飾り体、１３は気泡管１の下半部外周域に位置して、背面側が高位で前面側が低位となるように抱持状に立設された反射板である。
【００１４】
叙上のように構成された葬祭用装飾灯篭６を祭壇に安置して電源（図示省略）を入れると、電球５が発光して単一の気泡管１の底部２ａが照射される。その際、気泡管１の口径が比較的大きいものであっても、その底部２ａが球面状に形成されているので、熱の吸収が早くなって、まもなく気泡ａが発生する。
【００１５】
そのうえ、上記気泡ａは底部２ａの全周囲から均一な大きさで発生し、浮遊状態がライトアップされながら徐々にゆっくりと上昇して、幻想的な雰囲気を醸し出し、人の世の儚さを誘うので、これを観る遺族は勿論のこと、縁者や会葬者は在りし日の故人の面影を偲び、冥福と成仏を祈る心情を強くするものである。
【００１６】
上記のように構成した葬祭用装飾灯篭６は、従来の葬祭用装飾灯篭のように、細管からなる気泡管（口径６〜８ｍｍ）を複数本内装し、照明具として気泡を発生させるようにしたものと異なり、比較的口径の大きい単一の気泡管（口径２０〜３０ｍｍ）を内装し、発生した気泡ａをゆっくり上昇移動させるようにしたので、去来する気泡ａを観る人々に故人の冥福と成仏を願う宗教的心情を強く誘発することができる。そのうえ、構造がシンプルで組立が容易にでき、葬祭用装飾灯篭を廉価で提供できる利点がある。
【００１７】
【発明の効果】
以上の説明によって明らかなように、本発明によれば、比較的口径の大きい気泡管を製造するにあたり、先ず当該気泡管の本体となる円筒状管体の底部を中空方向へ膨出させて球面状の底部を形成し、次いで上記底部の裾野部外周と円筒状管体の内周壁との間に形成された谷部に、リング状に成形した発泡体を付着するか、または発泡体の粉末をリング状に付着し、更に円筒状管体内に塩素系有機溶剤からなる低沸点液体を充填し、かつ該低沸点液体に溶解されるプラスティックのペレットを所要量投入した後、円筒状管体の口径開口部を密封してなるものであるから、次のような格別顕著な効果を奏する。
▲１▼底部の直下方に電球を臨ませて発光させると、表面積が増大していることにより熱の吸収が早くなるので、発泡時間を短縮することができる上、谷部の全周囲から均一な気泡を発生させることができ、しかも電球の光が底部の中央部から透過して気泡の浮遊状態をライトアップすることができる。
▲２▼低沸点液体の粘度が上昇されているので、発生した気泡がゆっくりと上昇移動しながら去来し、幻想的な雰囲気を醸し出して人生終焉の厳かなセレモニーを演出することができる。
▲３▼この気泡管を単一の灯明具として葬祭用装飾灯篭に使用すると、ゆっくり上昇しながら去来する気泡を観る人々に故人の冥福と成仏を願う宗教的心情を強く誘発することができるばかりでなく、従来の葬祭用装飾灯篭に比し、構造がシンプルで組立が容易にでき、廉価で提供することができる。
【図面の簡単な説明】
【図１】本発明に係る気泡管の製造方法の説明図であって、（Ａ）は気泡管および光源としての電球の配置状態を示す正面図。（Ｂ）は気泡管の本体となる円筒状管体の底面を示す平面図。
【図２】製造された気泡管を使用した葬祭用装飾灯篭の筒部を断面にして示す全体正面図
【符号の説明】
１　　　気泡管
２　　　円筒状管体
２ａ　　球面状底部
３　　　発泡体
４　　　低沸点液体
５　　　電球
６　　　葬祭用装飾灯篭
【図１】
2004033411.tif 000003
【図２】
2004033411.tif 000004